(57)【要約】      （修正有）【課題】四季を通して効果的な使用ができるばかりでなく、遠赤外線、マイナスイオン及びお灸の複合的な作用により高い治療効果を得ることができる温熱治療器具を提供する。【解決手段】温熱治療器具１は、概略、通電により発熱する面状ヒーター、灸マット、マイナスイオン発生シートを順次積層して、面状ヒーターに通電する電源回路にヒーターの加温温度を制御するコントローラ２を接続する。温熱治療器具１は、仰臥して使用する寝具であるマットレス様の敷マットＬと腹部、肩、足裏等の患部に局所的に当接させて使用する付属の灸小マットＳから構成する。【選択図】図１
0003155840.tif 000002
【実用新案登録請求の範囲】
【請求項１】
通電により発熱する面状ヒーター、灸マット、マイナスイオン発生シートを順次積層したことを特徴とする温熱治療器具。
【請求項２】
灸マットが艾（蓬の葉）と枇杷の葉の成分を含有することを特徴とする請求項１記載の温熱治療器具。
【請求項３】
マイナスイオン発生シートが、遠赤外線放射能を有するセラミックスを塗布して成ることを特徴とする請求項１又は請求項２記載の温熱治療器具。
【請求項４】
面状ヒーターに通電する電源回路にヒーターの加温温度を制御するコントローラを接続してなることを特徴とする請求項１乃至請求項３のいずれか一項に記載の温熱治療器具。
【請求項５】
本体が布団又はマットレスであって、本体上に仰臥する人体の加温必要箇所に対応した位置に面状ヒーターを配置したことを特徴とする請求項１乃至請求項４のいずれか一項に記載の温熱治療器具。
【請求項６】
小型のお灸マットを付属させたことを特徴とする請求項１乃至請求項５のいずれか一項に記載の温熱治療器具。
【考案の詳細な説明】
【技術分野】
【０００１】
本考案は、温熱治療器具に関し、マットレス様でそれに仰臥して使用するタイプの温熱治療器具に関する。
【背景技術】
【０００２】
従来、身体のコリの緩和や神経痛等の治療を目的とした温熱器具として、患部に当てるヒーターを内蔵させたものや、寝具にヒーターを内蔵した電気毛布等の温熱器具が知られている。柔軟性を有するハニカム構造のマットで天然放射性鉱物含有セラミックプレートによる放射線と遠赤外線等により治療する器具（特許文献１参照。）。電位・温熱治療用マットと、マットの電位・温度等を制御するコントローラを備えたマット式電位・温熱治療器において、コントローラは表裏両面に制御盤が設けられ、制御盤には電源スイッチボタン、制御ボタン等が設けられ、そのコントローラはマットから取り外してマットの表面側と裏面側とに反転させてマットに脱着可能であり、コントローラは反転前と反転後にマットのコネクタと接続可能なコネクタを別々に備えたことを特徴とする電位・温熱治療器（特許文献２参照。）。温熱治療マットに関するもので、特に治療導子を横方向に往復運動させると同時に上下方向に運動させ、患部を効果的に加圧・湿布することによって使用が容易で、治療効果を向上させることのできる温熱治療マット（特許文献３参照。）。本発熱装置に挿入する薬草サックには、もぐさ、乾燥ビワの葉、等漢方薬草を乾燥させた薬草とし、前記請求項１、請求項２、請求項３に記載の発熱マットで薬草サックに放射し、薬草効果を図る可撓性の薬草治療装置（特許文献４参照。）が提案されている。
【先行技術文献】
【特許文献】
【０００３】
【特許文献１】実用新案登録第３１２４２５０号公報
【特許文献２】特開２００４−０９７３１３号公報
【特許文献３】特許第３８３２７４０号公報
【特許文献４】実用新案登録第３１２３０３２号公報
【考案の概要】
【考案が解決しようとする課題】
【０００４】
しかしながら、このような温熱器具は内部にヒーターを備えているため、暖房を兼ねてほとんどが冬季のみに使用され、通年使用可能なものは皆無である。本考案は四季を通して効果的な使用ができるばかりでなく、遠赤外線、マイナスイオン及びお灸の複合的な作用により高い治療効果を得ることができる温熱治療器具を提供することを目的とする。
【課題を解決するための手段】
【０００５】
そこで本考案の温熱治療器具は、通電により発熱する面状ヒーター、お灸マット、マイナスイオン発生シートを順次積層したことを第１の特徴とし、お灸マットが艾（蓬の葉）と枇杷の葉の成分を含有することを第２の特徴とし、マイナスイオン発生シートが、遠赤外線放射能を有するセラミックスを塗布して成ることを第３の特徴とし、面状ヒーターに通電する電源回路にヒーターの加温温度を制御するコントローラを接続してなることを第４の特徴とし、本体が布団又はマットレスであって、本体上に仰臥する人体の加温必要箇所に対応した位置に面状ヒーターを配置したことを第５の特徴とする。
【考案の効果】
【０００６】
本考案は、以下の優れた効果を有する。
（１）遠赤外線、マイナスイオン並びにお灸の複合且つ相乗的な作用により四季を通じて効果的に使用できる。
（２）通常のお灸と異なり、火を使わないため手軽で火傷や火災の危惧も無く、安全・安心である。
【図面の簡単な説明】
【０００７】
【図１】本考案に係る温熱治療器具を示す斜視図である。
【図２】（ａ）は敷マットの平面図、（ｂ）は（ａ）の側面図である。
【図３】敷マットの断面を模式的に示す要部拡大断面図である。
【考案を実施するための形態】
【実施例】
【０００８】
図１乃至図３に示すように、本考案の温熱治療器具１は、概略、通電により発熱する面状ヒーター６、灸マット４、マイナスイオン発生シート３ｂを順次積層して構成されており、面状ヒーター６に通電する電源回路にヒーターの加温温度を制御するコントローラ２を接続してなるものである。また、本考案の温熱治療器具１は、仰臥して使用する寝具であるマットレス様の敷マットＬと腹部、肩、足裏等の患部に局所的に当接させて使用する付属の灸小マットＳから構成されている。
【０００９】
本考案の敷マットＬ及び灸小マットＳで用いられる発熱体である面状ヒーター６について説明する。この面状ヒーター６は糸状発熱体素子、例えば、特殊カーボン線面発熱体やソフテレック（商品名：帝人株式会社製）を用いた繊維状面発熱体が使用される。この繊維状面発熱体は柔軟性に優れ、ニクロム線のように長さに拘束されることなく、平均にて一様に熱を発生させる点が優れている。発熱体素子は、ステンレスファイバーを用い、地糸としてアラミド繊維を撚り合わせて織りあげてあり、ニクロム線のような酸化・断線事故は発生しない。尚、面状ヒーター６は、仰臥する人体の加温必要箇所に対応した位置に配置すればよい。
【００１０】
艾と枇杷の葉を乾燥し裁断加工した灸薬４ａを「中芯」として、袋状生地（包袋）４ｂの中に入れ、キルティング加工し（以下、灸マット４と称する）、その灸マット４を面状ヒーター６の上に積層して通電することにより、５０℃〜６０℃程度で燻蒸し、通常の火を使うお灸と同様の効果を得るものである。このように包袋４ｂをキルティング加工することにより、生地の補強はもとより「中芯」に使われている灸薬４ａの偏りを防止することができ、クッション性と強度、保護緩衝作用も得られる。
【００１１】
図３に示すように、本考案に係る温熱治療器具１の本体である敷マットＬの表外被キルト３は、表面側から順に、表外被生地３ａ、マイナスイオン発生シート３ｂ、綿吹き出し防止タフター３ｃ、綿３ｄ、プロファイルウレタンシート３ｅ、不織布３ｆを積層して構成されている。そして、この表外被キルト３の下方に、灸マット４が積層される。
【００１２】
また、マイナスイオン放射能のあるセラミックスを粉末状に砕き、結着剤を混合したもので布生地をコーティングしたマイナスイオンシート３ｂを作成する。このマイナスイオンシート３ｂは、常時、１０００個／ｃｃ以上の高濃度のマイナスイオンを発生する。
【００１３】
温熱治療器具１の使用方法は、夏季においては、先ず、「３０〜５０分間程度」のお灸治療を行い、引き続き就寝しながらマイナスイオン治療を行う。冬季においては、先ず、「３０〜５０分間程度」のお灸治療を行い、引き続き就寝しながら遠赤外線温熱による保温とマイナスイオン治療を行う。これら治療温度と時間の制御は全てコントローラ２にて行う、コントローラ２には、電源のＯＮ，ＯＦＦ用のスイッチ、面状ヒーター６の温度設定部、タイマー設定部等を備えており、面状ヒーター６はこのコントローラ２により手動により又は設定値に応じた自動制御等によりその作動が制御される。
【産業上の利用可能性】
【００１４】
本考案は、副交感神経が活発に働き、最も治療効果が高くなる就寝中に使用することを目的とし、お灸、遠赤外線の温熱効果並びマイナスイオンの生体の機能改善効果、健康を保持するための快適な睡眠促進と療養性、活力増進に役立つ。
【符号の説明】
【００１５】
Ｌ    敷マット
Ｓ    灸小マット
１    温熱治療器具
２    コントローラ
３    表外被キルト
３ａ  表外被生地
３ｂ  マイナスイオン発生シート
３ｃ  綿吹き出し防止タフター
３ｄ  綿
３ｅ  プロファイルウレタンシート
３ｆ  不織布
４    灸マット
４ａ  灸薬
４ｂ  袋状生地（包袋）
５    ナイロンタフター
６    面状ヒーター（発熱体）
７    １０ｔ硬面
８    １０ｔウレタン
９    裏生地
【図１】
0003155840.tif 000003
【図２】
0003155840.tif 000004
【図３】
0003155840.tif 000005